(57)【要約】      （修正有）【課題】体温の上昇を防ぐために身体に装着した際、使用者の体形に合わせ、自由に形もしくは屈曲角度を変化させることができ、且つ冷却面積を少なくし、通常使用する保冷剤と同じ容量でも保冷効果時間を長く保つことのできる保冷剤を提供する。【解決手段】保冷剤の容器を２〜５分割もしくは、袋状の容器に保冷剤を２〜５個程度納めて袋状の容器の開口部を閉じることで、自由に屈曲角度を変えることができる一つの保冷剤となり、使用者の体型や動きに沿わせることができるようになる。また、一個の保冷剤にできるだけ多くの内容物を入れ、保冷剤の厚さを増すことで冷却面積を少なくし、保冷効果時間を延長させる。さらに、低温状態でも凝固しない性質を持つ内容物を併用し、低温状態でも凝固していない部分を確保し、背負い式保冷具等に挿入し使用する。【選択図】図１
0003142870.tif 000002
【実用新案登録請求の範囲】
【請求項１】
身体の少なくとも一部に沿うようにして自由に形状を変えることができる保冷容器を使用することを特徴とする身体冷却用保冷剤。
【請求項２】
請求項１において、保冷容器が、縦５０〜３００ｍｍで、横５０〜３００ｍｍ、厚さ１０〜２０ｍｍの台形、正方形、長方形、または円形状であって、保冷剤自体が２〜５分割されていることを特徴とする身体冷却用保冷剤。
【請求項３】
袋状に形成された容器の内部に屈曲が自由にできるよう、２つ以上の保冷剤を区分して収納し、その全体を一つの保冷剤として使用できることを特徴とする身体冷却用保冷剤。
【請求項４】
請求項３において、保冷剤を収納する袋状の素材は、低温状態でも耐久性のあるポリエチレン樹脂または、ポリアミドの繊維もしくはネットや樹脂に蒸着したアルミシートを使用し、内封する1個の保冷剤の容量を１００ｇ〜３００ｇとし、縦１００〜３００ｍｍ、横１００〜３００ｍｍ、厚さ１０〜２０ｍｍの袋体を２〜５個使用することを特徴とする身体冷却用保冷剤。
【請求項５】
請求項１〜４の保冷剤の保冷剤成分に低温下でも優れた柔軟性を備えさせるために水酸化アルミニウム、塩化アルミニウム、硫酸アルミニウム、カリミョウバン等のアルミニウム塩、水酸化マグネシウム、塩化マグネシウム、硫酸マグネシウム等のマグネシウム塩、水酸化カルシウム、塩化カルシウム、硫酸カルシウム、炭酸カルシウム等のカルシウム塩等、水溶性無機塩等を添加し、冷凍させた低温状態で背負い式保冷具に挿入し使用することを特徴とする身体冷却用保冷剤。
【請求項６】
保冷剤の中を多重構造にし、身体接触側に低温時でも凝固しない物質を配置し、外側には通常の保冷剤に使用するゲル状の物質を挿入していることを特徴とする身体冷却用保冷剤。
【考案の詳細な説明】
【技術分野】
【０００１】
本考案は、身体に合わせ自在に屈曲できるよう成形がされており、また、装着時に違和感のないように低温時でも凝固しないように考慮された身体冷却用保冷剤に関するものである。
【背景技術】
【０００２】
現在市販されている保冷剤は低温になると凝固し、使用者の体形に合わせ形状を自由に変形させることが困難である。例えば、小袋入保冷剤を連結し、シート状にした保冷剤では、使用者が自分で形や大きさを容易に加工することが出来、また、曲面に密着しやすい様にすることを目的としているため、小袋に収められている。そのため、保冷剤の容量が少量で、人体の冷却に使用する場合には、保冷持続時間が極端に短くなる欠点がある。ゆえに、人体を長時間冷却することを目的とする本考案とは使用目的が異なる。（特許文献１参照）また、身体屈曲部等に円滑に適合し、且つ装着時においても身体屈曲部が動かし易い身体保冷具はあるが、あくまでも保冷剤を使用した保冷具であり、こちらも保冷剤自体の形状を変形させる本考案とは目的が違う。（特許文献２参照）
【特許文献１】特開平１０−２３１４７４号
【特許文献２】特開２００１−１７８７６３号
【考案の開示】
【考案が解決しようとする課題】
【０００３】
身体を冷却する方法として保冷剤を使用する際、従来の保冷剤では冷凍時に硬く凝固するので、使用者の体形に合わせて自由に形状を変化させることができず、また、身体との接触面に凝固からくる硬くゴツゴツとした感覚が違和感として生じるといった問題があった。それゆえに、考案の主たる目的は、使用者の体型に合わせ保冷剤の形状が保冷剤の中心より自由に屈折し、角度を変え体型に合わせ沿うように装着させることで、使用時の硬くゴツゴツとした違和感を無くし、より快適に効率よく身体を冷却することができる特徴を持ち、しかも繰り返し何度でも使用ができる身体冷却用保冷剤を提供することである。
【課題を解決するための手段】
【０００４】
身体の少なくとも一部に沿うよう保冷剤の容器が２〜５分割されており、または、一つの袋状の内側に１００ｇ〜３００ｇの容量がある保冷剤を２つ以上使用し、袋の開口部を閉じることで、自在に形状を変化させることができる一つの保冷剤として使用可能な身体冷却用保冷剤である。
保冷剤の容器は、縦５０〜３００ｍｍで、横５０〜３００ｍｍの台形、正方形、長方形、または円形状であって、保冷剤の容量は１００ｇ〜５００ｇの身体冷却用保冷剤である。
【０００５】
本考案の保冷剤の内容物としては、グアーガム、ポリビニルアルコール、ポリアクリル酸ナトリウム、ポリアクリルアミド、カルボキシメチルセルロースナトリウム、アルギン酸ナトリウム、澱粉、澱粉にアクリル酸、又はアクリルアミドをグラフト重合させたもの、エチレングリコール、ジエチレングリコール、トリエチレングリコール、ポリエチレングリコール、プロピレングリコール、ブチレングリコール、グリセリン、ポリグリセリン、ゼラチン、寒天、カラギーナン、ローカストビーンガム、タマリンドシードガム、アラビアゴム、トラガントガム、ペクチン、キサンタンガム、プルラン、カードラン、デキストラン、ジュランガム等の天然高分子化合物、メチルセルロース、エチルセルロース、メチルヒドロキシプロピルセルロース、アルギン酸、アルギン酸プロピレングリコール、及びこれらの塩（例えばナトリウム塩）等の半合成高分子化合物、ポリビニルアルコール、ポリビニルピロリドン、カルボキシビニルポリマー、ポリアクリル酸塩等の合成高分子化合物等を使用する。
【０００６】
本考案の保冷剤の容器として使用するフィルム又はシートの材料として、ポリエチレン、ポリプロピレン、ポリウレタン、ポリスチレン、ポリエチレンテレフタレート、ポリエステル、エチレン酢酸ビニル、ポリ塩化ビニル、ナイロン等を使用するのが好ましい。
【０００７】
本考案において、保冷剤の容器は袋状に形成され、その内側に内容物が注入されることが好ましい。
【０００８】
本考案において、保冷剤の中を多重構造にし、人体接触側に低温時でも凝固しない物質を配置することで、低温時の凝固による硬くゴツゴツとした感覚による違和感の無い保冷剤とすることができ好ましい。
【考案の効果】
【０００９】
本考案の保冷剤を背負い式保冷具に挿入し使用すれば、使用者の体型に添うよう保冷剤の形態が変化するので、いかなる体型の方やいかなる動きにも柔軟に対応できるようになる。また、外気温と保冷剤の冷気の差によって起こる結露を極力抑えるために、背負い式保冷具に特殊なメッシュ加工等を施した生地を使用した場合、使用者の自由な動きに対し、邪魔にならず、また、使用者のいかなる体型にも密着することができ、しかも、結露による濡れを気にしなくてもよい背負い式保冷具とすることができる。
【考案を実施するための最良の形態】
【００１０】
保冷剤の容器を２〜５分割し、屈曲が自在にできるようにする。もしくは、袋状の容器に保冷剤を２個以上収納し、袋状の容器一体で、屈曲自在な保冷剤とする。
【実施例１】
【００１１】
図１で示すように保冷剤の容器の寸法は、タテ１１０ｍｍヨコ２００ｍｍ厚さ１０ｍｍの袋状の長方形に形成、内部に高吸水性樹脂などのゲル状の物質を注入し、中央部分を圧着させ容器全体を２分割させる。圧着部分の幅は、１０ｍｍ前後が好ましい。この人体冷却用保冷剤を背負い式保冷具に挿入し使用したところ身体との密着性の良さが実感でき、また運動による身体の動きに対応し、屈曲具合を変化させることにより追従性の向上に貢献することもできた。
【実施例２】
【００１２】
図２に示す身体冷却用保冷剤は、袋状の容器に縦１１５ｍｍ、横１１０ｍｍ、厚さ２０ｍｍ、内容量が１５０ｇの保冷剤Aを２つ挿入した状態のものである。袋の開口部を閉じることで、屈曲角度を袋の中心部より自由に変えることのできる１つの身体冷却用保冷剤として使用できる。しかも、冷却面積を少なくできたので、通常使用する縦１１０ｍｍ、横２２０ｍｍ、厚さ１２ｍｍ、容量３００ｇの保冷剤よりも、保冷持続時間を約２割程度伸ばすことができた。
【実施例３】
【００１３】
図３に示す断面図は、保冷剤の容器を多重構造にした状態のもので、身体接触側に低温状態でも凝固しない物質Aを挿入しており、そのほかの部分には保冷持続時間が長い性質をもつ物質Bが挿入されている状態を示している。その結果、保冷持続時間が長いにも関わらず、低温時でBが凝固していてもAは凝固しておらず、身体接触部分は柔らかく装着感が良いことが確認できた。
【図面の簡単な説明】
【００１４】
【図１】身体冷却用保冷剤分割型の概略図
【図２】身体冷却用保冷剤袋状型の概略図
【図３】身体冷却用保冷剤の断面図
【符号の説明】
【００１５】
A．保冷剤
B．凝固しない物質
C．保冷持続時間の長い物質
D．保冷剤の容器
【図１】
0003142870.tif 000003
【図２】
0003142870.tif 000004
【図３】
0003142870.tif 000005